(57)【要約】      （修正有）【課題】乳幼児の身体の発達状況に応じて、乳幼児の身体を良好に支持可能なバスチェアを提供する。【解決手段】バスチェア１は、座部５と、座部の後方部周縁近傍に配設される背もたれ部６と、背もたれ部の上面に配設される頭支持部１０と、座部の前方部において、背もたれ部に対向して配設される乳幼児の股部を支持可能な股支持部８とを備える。またバスチェアは、座部と、背もたれ部と、股支持部とにより形成される乳幼児の胴体部を収容可能な収容領域Ｒ内に着脱可能に配設されると共に、上面が前方向へ下り傾斜する傾斜面２１を有する胴体支持部材３を備える。【選択図】図１
0003210128.tif 000002
【実用新案登録請求の範囲】
【請求項１】
乳幼児の身体を収容可能なバスチェアであって、
座部と、
前記座部の後方部周縁近傍に配設される背もたれ部と、
前記背もたれ部の上面に配設される頭部支持部と、
前記座部の前方部において、前記背もたれ部に対向して配設される乳幼児の股部を支持可能な股部支持部と、
前記座部と、前記背もたれ部と、前記股部支持部とにより形成される収容領域の内側に着脱可能に配設される胴体支持部材と、
を備え、
前記胴体支持部材は、前記収容領域の内側に装着された状態において前記頭部支持部から前記股部支持部に向かって下降傾斜する傾斜面を有し、乳幼児の頭部を前記頭部支持部に載置したときに前記傾斜面が乳幼児の背部に当接し、乳幼児を仰臥姿勢で傾斜させた状態に保持することを特徴とするバスチェア。
【請求項２】
前記胴体支持部材は、内部に空気室を備え、
前記空気室は、前記空気室内に設けられる複数の壁部によって区成される区分領域を備え、
前記複数の壁部のそれぞれは、前記傾斜面の内側に対して略直角に配設されることを特徴とする請求項１に記載のバスチェア。
【請求項３】
前記複数の壁部は、前記空気室内に、前記傾斜面の傾斜方向に対して直角を成す横方向に、少なくとも３つの区分領域を区成し、前記横方向の両端に位置する区分領域の容積よりも前記横方向の中央に位置する区分領域の容積を小さく区成することを特徴とする請求項２に記載のバスチェア。
【請求項４】
前記頭部支持部及び前記股部支持部に対して着脱可能なカバーシート、
を更に備え、
前記カバーシートは、前記収容領域に前記胴体支持部材が装着された状態において、前記傾斜面を被覆するように前記頭部支持部及び前記股部支持部に装着されることにより、乳幼児の胴体部を載置可能であることを特徴とする請求項１乃至３のいずれかに記載のバスチェア。
【請求項５】
前記カバーシートは、滑り防止機能を有する摩擦面を備えることを特徴とする請求項４に記載のバスチェア。
【請求項６】
前記傾斜面は、前記頭部支持部の近傍において前記座部に対して第１の傾斜角度を有し、前記股部支持部の近傍において前記座部に対して前記第１の傾斜角度より緩やかな第２の傾斜角度を有することを特徴とする請求項１乃至５のいずれかに記載のバスチェア。
【考案の詳細な説明】
【技術分野】
【０００１】
本考案は、乳幼児の身体を収容可能なバスチェアに関し、特に乳幼児の身体を支持する技術に関する。
【背景技術】
【０００２】
従来、生後７ヶ月程度未満の首の据わっていない乳幼児の身体を洗浄する際には、大人が片手で乳幼児を抱きかかえた状態で支持しながら、他方の手で乳幼児の身体を洗浄する必要があった。そうすると大人は片手で洗浄作業を行わなければならず、洗浄作業を効率的に行うことが困難になると共に、乳幼児を抱きかかえている手に負担がかかる。
【０００３】
一方、首の据わった乳幼児を洗浄する際の補助具として、乳幼児の身体を収容可能な空気入り座椅子が提供されている（特許文献１）。特許文献１に示される空気入り座椅子は、中央部に乳幼児の臀部を載置可能な座部を有する接地部と、接地部の上側に設けられ、座部に着座した乳幼児を外周側から保持する背もたれ部と、接地部の前端において背もたれ部に対向して設けられ、着座した乳幼児の股部を保持する背もたれ対向部とを備える。
【０００４】
この空気入り座椅子によると、乳幼児を座部に着座させることにより、座部と背もたれ部と背もたれ対向部とにより形成される収容領域に乳幼児の身体を収容する。乳幼児の身体を空気入り座椅子に収容した状態で、大人は両手で乳幼児の身体を洗浄できるため、作用効率が向上する。
【先行技術文献】
【特許文献】
【０００５】
【特許文献１】特開２００７−９７９２２号公報
【考案の概要】
【考案が解決しようとする課題】
【０００６】
しかしながら、特許文献１に示される空気入り座椅子は、生後７ヶ月程度を経過して首の据わっている乳幼児であれば座部に座らせた状態で利用可能である反面、生後７ヶ月程度未満の首の据わっていない乳幼児には依然として利用することができない。なぜなら、首の据わっていない乳幼児は、自力で着座姿勢を保持することができないからである。
【０００７】
そこで本考案は、上記の問題点を解決するためになされたものであり、乳幼児の身体の発達状況に応じて、乳幼児の身体を良好に支持して利用可能なバスチェアを提供することを目的とする。
【課題を解決するための手段】
【０００８】
上記の目的を達成するため、第１に、本考案は、乳幼児の身体を収容可能なバスチェアであって、座部と、前記座部の後方部周縁近傍に配設される背もたれ部と、前記背もたれ部の上面に配設される頭部支持部と、前記座部の前方部において、前記背もたれ部に対向して配設される乳幼児の股部を支持可能な股部支持部と、前記座部と、前記背もたれ部と、前記股部支持部とにより形成される収容領域の内側に着脱可能に配設される胴体支持部材とを備え、前記胴体支持部材は、前記収容領域の内側に装着された状態において前記頭部支持部から前記股部支持部に向かって下降傾斜する傾斜面を有し、乳幼児の頭部を前記頭部支持部に載置したときに前記傾斜面が乳幼児の背部に当接し、乳幼児を仰臥姿勢で傾斜させた状態に保持することを特徴とする構成である。
【０００９】
第２に、本考案は、上記第１の構成を有するバスチェアにおいて、前記胴体支持部材は、内部に空気室を備え、前記空気室は、前記空気室内に設けられる複数の壁部によって区成される区分領域を備え、前記複数の壁部のそれぞれは、前記傾斜面の内側に対して略直角に配設されることを特徴とする構成である。
【００１０】
第３に、本考案は、上記第２の構成を有するバスチェアにおいて、前記複数の壁部は、前記空気室内に、前記傾斜面の傾斜方向に対して直角を成す横方向に、少なくとも３つの区分領域を区成し、前記横方向の両端に位置する区分領域の容積よりも前記横方向の中央に位置する区分領域の容積を小さく区成することを特徴とする構成である。
【００１１】
第４に、本考案は、上記第１乃至第３のいずれかの構成を有するバスチェアにおいて、前記頭部支持部及び前記股部支持部に対して着脱可能なカバーシートをさらに備え、前記カバーシートは、前記収容領域に前記胴体支持部材が装着された状態において、前記傾斜面を被覆するように前記頭部支持部及び前記股部支持部に装着されることにより、乳幼児の胴体部を載置可能であることを特徴とする構成である。
【００１２】
第５に、本考案は、上記第４の構成を有するバスチェアにおいて、前記カバーシートは、滑り防止機能を有する摩擦面を備えることを特徴とする構成である。
【００１３】
第６に、本考案は、上記第１乃至第５のいずれかの構成を有するバスチェアにおいて、前記傾斜面は、前記頭部支持部の近傍において前記座部に対して第１の傾斜角度を有し、前記股部支持部の近傍において前記座部に対して前記第１の傾斜角度より緩やかな第２の傾斜角度を有することを特徴とする構成である。
【考案の効果】
【００１４】
本考案によれば、乳幼児を収容可能な収容領域内に、乳幼児の胴体部と当接する傾斜面を有する胴体支持部を着脱可能に配設することにより、乳幼児の身体の発達状況に応じて、良好に乳幼児の身体を支持可能となる。
【図面の簡単な説明】
【００１５】
【図１】本実施形態におけるバスチェアの斜視図である。
【図２】バスチェアを構成するチェア部材の斜視図である。
【図３】チェア部材の側面図である。
【図４】チェア部材の平面図である。
【図５】バスチェアを構成するクッション部材の斜視図である。
【図６】クッション部材の正面図である。
【図７】クッション部材の傾斜面の傾斜角度を示す側面図である。
【図８】シート部材を装着したバスチェアの斜視図である。
【図９】シート部材の平面図である。
【図１０】図９に示す場合とは異なるシート部材の構成の一例を示す図である。
【考案を実施するための形態】
【００１６】
以下、本考案の好ましい実施形態を、図面を参照しつつ詳細に説明する。尚、以下において参照する各図面では互いに共通する部材に同一符号を付しており、それらについての重複する説明は省略する。
【００１７】
図１は、本考案の実施形態におけるバスチェア１を示す斜視図である。本実施形態におけるバスチェア１は、例えば浴室などにおいて乳幼児の身体を洗浄するために利用される乳幼児用のチェアである。このバスチェア１は、チェア部材２と、クッション部材３とを備え、クッション部材３がチェア部材２に対して着脱可能な構成である。バスチェア１は、例えば月齢７ヶ月未満の首の据わっていない乳幼児を洗浄する際には、クッション部材３をチェア部材２に装着した状態で利用される。また月齢７ヶ月程度を経過して首の据わった状態の乳幼児を洗浄する際には、チェア部材２からクッション部材３を取り外した状態で利用される。バスチェア１を構成するチェア部材２とクッション部材３は、各々内部に空気室を有し、ＰＶＣ（Polyvinyl Chloride）等、伸長性を備える合成樹脂により形成される。
【００１８】
チェア部材２は、首の据わった乳幼児を載置可能な座部５と、座部５の後方部に配設される背もたれ部６と、背もたれ部６の上面に配設される頭支持部１０と、座部５の前方部に背もたれ部６と対向して設置される股支持部８とを有している。背もたれ部６は、座部５の後方部だけでなく、側方部にも設けられ、平面視（図４参照）において座部５の中央部を包囲するように概略コ字状に設けられる。
【００１９】
チェア部材２は、座部５と背もたれ部６と股支持部８により形成される収容領域Ｒを有し、その収容領域Ｒに首の据わった乳幼児を着座させることにより、首の据わった乳幼児を着座姿勢で安定させることができる。すなわち、チェア部材２は、乳幼児の両肢で股支持部８を挟むと共に臀部を座部５に載置することにより、収容領域Ｒに乳幼児の胴体部を収容することができる。乳幼児の胴体部が収容領域Ｒに収容されると、座部５が乳幼児の臀部を支持し、背もたれ部６が乳幼児の腰部から背中部にかけて支持し、頭支持部１０が乳幼児の頭部を支持する。また、股支持部８が乳幼児の股部を支持することにより、乳幼児の身体がチェア部材２の前方に移動するのを防止する。このようにチェア部材２は、収容領域Ｒに乳幼児の胴体部を収容することにより、両肢を前方に伸ばして着座した姿勢で乳幼児の身体を支持可能となる。また背もたれ部６が座部５の中央部分の側方まで延設されているため、乳幼児が側方に転倒することも防止することができる。
【００２０】
クッション部材３は、収容領域Ｒ内に配設され、首の据わっていない乳幼児の胴体部を支持するための胴体支持部材である。クッション部材３は、背もたれ部６と当接すると共に、股支持部８と当接するように配置される。すなわち、クッション部材３の後方部が背もたれ部６と当接し、また、クッション部材３の前方部が股支持部８と当接することから、クッション部材３は背もたれ部６と股支持部８とにより挟持され、収容領域Ｒ内に安定的に配設される。
【００２１】
クッション部材３は、乳幼児の腰部から背中部に当接して乳幼児の胴体部を支持する傾斜面２１を有する。すなわち、クッション部材３は、背もたれ部６と当接する後方部が高く形成されると共に、股支持部８と当接する前方部が低く形成されており、その高低差によって上面に傾斜面２１が形成される。そしてクッション部材３が収容領域Ｒを埋めるように配設されると、傾斜面２１は、背もたれ部６の上端近傍位置から股支持部８が立設した座部５の前方側に向かってなだらかな傾斜を形成する。
【００２２】
上記のようにクッション部材３が収容領域Ｒ内に配設された状態で、首の据わっていない乳幼児の両肢で股支持部８を挟み、クッション部材３の傾斜面２１上に臀部を載置すると、傾斜面２１が乳幼児の腰部から背中部と当接し、頭支持部１０が乳幼児の頸部から頭部を支持する。したがって、クッション部材３を収容領域Ｒ内に配置することにより、バスチェア１は、首の据わっていない乳幼児を仰臥姿勢で傾斜させた状態に安定させることができる。これにより、バスチェア１は、月齢が浅いため首の筋肉が頭部を支える程度にまで発達していない乳幼児であっても身体を良好に支持することが可能となる。
【００２３】
より好ましくは、クッション部材３は、背もたれ部６と当接する面の高さが背もたれ部６の高さと略同じであり、前方向に向けて傾斜する。これにより、頭支持部１０における乳幼児の頭部と当接する領域と、クッション部材３の傾斜面２１により略面一な傾斜面を形成し、乳幼児の身体を当該傾斜面に横臥させた状態で良好に支持することが可能となる。
【００２４】
図２は、チェア部材２を示す斜視図であり、図３は、チェア部材２の側面図であり、図４は、チェア部材２の平面図である。チェア部材２は、股支持部８の上端部に、空気室内に保持される空気の注入及び排出可能な通気口１７を備える。チェア部材２を構成する座部５と、背もたれ部６と、股支持部８と、頭支持部１０の内部の空気室は、一体に形成され、通気口１７から空気を注入することにより、これら各部の空気室に空気を充填可能である。図２に示すように、空気室に空気を充填して通気口１７を閉塞栓で閉塞すると、チェア部材２の各部は空気圧により展張された状態で保持される。これにより、チェア部材２の各部は弾力性を備える。そのため、乳幼児は、チェア部材２に収容されて洗浄される間、弾力性を楽しむことができる。また万一、乳幼児がチェア部材２に収容されている状態で姿勢を崩したとしても、チェア部材２の弾力性によって乳幼児を保護することができる。
【００２５】
股支持部８は、ポンプ機構を備えてもよい。一例として、チェア部材２は、股支持部８内に空気の排出を防止する弁を備えたポンプ機構を有し、通気口１７を開放した状態で股支持部８を押下操作することにより、空気室内に空気を注入する。空気室内に所定容積の空気が注入され、各部が展張された状態になると、閉塞栓で通気口１７を閉塞することにより、空気室内に良好に空気を保持できる。この場合、ポンプ機構の周囲には、弾力性のある部材を巻き付けておくことにより、乳幼児の肢が股支持部８に当たっても衝撃を緩和することができる。
【００２６】
座部５は、上面中央付近に乳幼児の臀部を載置する臀部載置部１５を備える。臀部載置部１５は、下方に凹んだ形状であり、首の据わっている乳幼児の臀部を安定的に支持する。
【００２７】
図３に示すように、背もたれ部６は座部５の後方上面に配設される。背もたれ部６は、座部５の後方部周縁の形状に対応する形状を備える。背もたれ部６は、座部５の上面において、座部５の周縁に沿った形状にて形成される。首の据わっている乳幼児の臀部が臀部載置部１５に載置されると、乳幼児の腰部から背中部が背もたれ部６と当接する。一例として背もたれ部６は月齢７ヶ月から２歳程度の乳幼児の背中部の下半分と当接可能な高さ以上の高さを備える。これにより、乳幼児の身体がチェア部材２の後方に傾倒するのを防止する。
【００２８】
頭支持部１０は、背もたれ部６の後方上面に配設される。図４に示すように、頭支持部１０は、背もたれ部６の上面の中央付近に設けられる。股支持部８は、座部５の前方上面に配置される。股支持部８は、背もたれ部６の前端近傍、或いはこれより前方側に配置される。股支持部８は、座部５の上面において、臀部載置部１５を挟んで背もたれ部６と対向する位置に配置される。座部５と背もたれ部６と股支持部８により囲まれることにより、乳幼児の胴体部を収容可能な収容領域Ｒが形成される。
【００２９】
乳幼児の両肢により股支持部８を挟むようにして、臀部を臀部載置部１５上に載置すると、臀部載置部１５が臀部を支持し、背もたれ部６が腰部から背中部を支持し、頭支持部１０が頸部から頭部を支持する。これにより、乳幼児の身体が後方に傾倒するのが防止される。そして、股支持部８が乳幼児の股部を支持することにより、乳幼児の身体が前方に移動するのが防止される。したがってチェア部材２は、首の据わった乳幼児の身体を良好に支持可能であり、洗い場において大人は両手を使用して乳幼児の身体を洗浄できるため、作業効率が向上する。
【００３０】
次に、クッション部材３の構成を説明する。図５は、クッション部材３の斜視図であり、図６はクッション部材３の正面図である。本実施形態において、クッション部材３は、上面に傾斜面２１を備える。クッション部材３は、内部に一の空気室２２を備える。クッション部材３は空気室２２内に空気を注入し、空気室２２内に保持される空気を排出する通気口（図示せず）を備える。
【００３１】
クッション部材３は、その内部に、空気室２２内を区切ることにより複数の区分領域２３を区成する複数のリブ２０を備える。すなわち、リブ２０は、クッション部材３の内側において空気室２２を複数の区分領域２３ａ（２３）、２３ｂ（２３）、２３ｃ（２３）に区成する壁部として設けられる。図例では、区分領域２３ａ（２３）と区分領域２３ｂ（２３）とがリブ２０ａ（２０）により区切られる。また、区分領域２３ｂ（２３）と区分領域２３ｃ（２３）とがリブ２０ｂ（２０）により区切られる。リブ２０は通気穴を備えており（図示せず）、区分領域２３同士の空気の流動を可能にする。
【００３２】
リブ２０は、クッション部材３の内側において傾斜面２１に接続されると共に、傾斜面２１に対して略垂直方向に配設される。またリブ２０は、傾斜面２１の傾斜方向と平行に設けられる。すなわち、リブ２０は、クッション部材３の内部を、傾斜面２１の傾斜方向に対して直角を成す横方向に複数設けられており、空気室２２を少なくとも３つの区分領域２３ａ、２３ｂ、２３ｃに区成する。このようなリブ２０は、クッション部材３の補強部材として機能し、傾斜面２１に乳幼児の胴体部が載置された際に、乳幼児の体重によってクッション部材３が扁平してしまうことを抑制する。つまり、クッション部材３は、リブ２０によって変形し難い構造となるため、傾斜面２１上に載置される乳幼児の姿勢をより一層安定させることができる。
【００３３】
クッション部材３は、空気室２２に充填される空気の容積に応じて展張し、乳幼児の胴体部を支持する。図６に示すように、区分領域２３ａ（２３）、区分領域２３ｂ（２３）及び区分領域２３ｃ（２３）は、正面視横方向に配置される。
【００３４】
区分領域２３ａ（２３）、区分領域２３ｂ（２３）及び区分領域２３ｃ（２３）の正面が横方向に配置されることにより傾斜面２１が形成される。仮に、空気室２２内にリブ２０が設けられておらず、したがって複数の区分領域２３が区成されていない場合、空気室２２に空気が充填されると、空気室２２の正面視中央付近が盛り上がった形状になる。正面視中央付近が盛り上がった形状の空気室２２を備えるクッション部材３に乳幼児の胴体部が載置された場合、乳幼児の胴体部は空気室２２の左右いずれかの方向に移動する可能性が高くなり、乳幼児の胴体部を安定的に支持できない。そこで、クッション部材３は、空気室２２内にリブ２０を設けて複数の区分領域２３を区成することにより、クッション部材３の正面視中央部付近が盛り上がった状態となるのを防止できる。これにより、クッション部材３の中央部に乳幼児の胴体部を載置することができるため、クッション部材３により安定的に乳幼児の胴体部を支持することが可能となる。
【００３５】
さらに好ましくは、空気室２２内において区分領域２３が配置される方向に対して両端に位置する区分領域２３ａ（２３）及び区分領域２３ｃ（２３）の容積に比べて、区分領域２３ａ及び区分領域２３ｃ（２３）の間に配置される区分領域２３ｂの容積が小さい。図６の例では、区分領域２３の配置方向に対して両端にある区分領域２３ａ（２３）と区分領域２３ｃ（２３）とは、容積が略同じである。区分領域２３ａ（２３）と区分領域２３ｃ（２３）との間に配置される中央の区分領域２３ｂ（２３）は、区分領域２３ａ（２３）及び区分領域２３ｃ（２３）の各々の容積に比べて小さい。各区分領域２３に空気が充填されて各々展張状態となるとき、区分領域２３ａ（２３）及び区分領域２３ｃ（２３）の容積に比べて区分領域２３ｂ（２３）の容積が小さいため、傾斜面２１は、中心部付近が両端部よりも凹んだ形状になる。これにより、乳幼児の胴体部を傾斜面２１の中心部付近でより安定的に支持することが可能となる。
【００３６】
図７は、クッション部材３の側面図である。傾斜面２１は、側面視中央より後方側に第１領域２１ａ（２１）を備え、第１領域２１ａ（２１）より前方側に、第１領域２１ａ（２１）に連続して第２領域２１ｂ（２１）を備える。第１領域２１ａ（２１）は、クッション部材３の底面に対する傾斜角度は角度θ１である。第２領域２１ａ（２１）は、クッション部材３の底面に対する傾斜角度は角度θ１より小さい角度θ２である。
【００３７】
すなわち、傾斜面２１を構成する第１領域２１ａ（２１）と第２領域２１ｂ（２１）において、第１領域２１ａ（２１）の傾斜に比べて、第２領域２１ｂ（２１）の傾斜は緩やかである。乳幼児の胴体部をクッション部材３に載置する場合、乳幼児の胴体部のうち下方部が第２領域２１ｂ（２１）に当接し、乳幼児の胴体部のうち上方部が第１領域２１ａ（２１）に当接する。胴体部の下方部が前方側に配置される第２領域２１ｂ（２１）に当接すると、第２領域２１ｂ（２１）は第１領域２１ａ（２１）に比べて傾斜が緩やかであることから、乳幼児の臀部及び腰部を安定的に支持し、乳幼児の身体が前方側に移動するのを良好に防止することが可能である。
【００３８】
次に、バスチェア１が、傾斜面２１を被覆するシート部材３０をさらに備える場合を説明する。図８は、シート部材３０を装着したバスチェア１を示す斜視図である。図８に示すバスチェア１はチェア部材２と、クッション部材３と、シート部材３０とを備える。チェア部材２の収容領域Ｒにクッション部材３が配設されており、シート部材３０は、クッション部材３の上に配置される。シート部材３０はクッション部材３を被覆するように配置されると、その裏面が傾斜面２１に当接する。
【００３９】
シート部材３０の幅及び長さは、クッション部材３の幅及び長さの各々より大きい。そのため、シート部材３０がクッション部材３の上に、傾斜面２１を被覆するように配置されると、傾斜面２１はシート部材３０により隠蔽される。シート部材３０が配置された状態のバスチェア１に乳幼児の身体が載置されると、シート部材３０の上面が乳幼児の胴体部に当接する。
【００４０】
上述したとおりクッション部材３の空気室２２内には複数の区分領域２３が区成され、各区分領域２３は傾斜面２１の傾斜方向に対して直角をなす横方向に配置されている。そのため傾斜面２１は、展張した各区分領域２３により形成される起伏を有する。各区分領域２３により形成される起伏を有する傾斜面２１に乳幼児の身体を載置すると、乳幼児に不快感を与えるおそれがある。
【００４１】
そこで、クッション部材３の上面にシート部材３０が配置され、乳幼児の身体が傾斜面２１ではなくシート部材３０の上面に当接することにより、乳幼児に対して傾斜面２１の起伏を感得させないようにできるため、傾斜面２１の起伏を原因とする不快感を与えることを良好に防止できる。
【００４２】
図８の例に示すように、シート部材３０は、頭支持部１０と係合すると共に、股支持部８と係合する。これにより、シート部材３０は配置される位置において良好に保持されるため、乳幼児の身体の動きに伴いシート部材３０が移動して傾斜面２１が露出する事態を回避できる。
【００４３】
シート部材３０が装着されたバスチェア１において、シート部材３０の上面に乳幼児の胴体部が載置される。さらに好ましくは、シート部材３０は、少なくともその上面が滑り防止機能を有する摩擦面として構成される。尚、シート部材３０の上下両面が滑り防止機能を有する摩擦面として構成されたものであっても良い。例えば、摩擦面は、表面に凹凸加工を施したものであっても良いし、ゴム素材などを用いたものであっても良い。また滑り止め効果を有する塗料を塗布することにより、摩擦面を形成しても良い。そして摩擦面が上面に配置されることにより、シート部材３０は、摩擦面３２に載置される乳幼児の胴体部を滑らせることなく好適に支持可能となる。尚、シート部材３０の下面にも摩擦面が形成されている場合、シート部材３０がクッション部材３の傾斜面２１上を滑るのを防止できる。
【００４４】
図９は、滑り防止機能を有する摩擦面を備える場合におけるシート部材３０の正面図である。シート部材３０は摩擦面３２と、一端部に頭支持部１０と係合する第１係合部３４と、他端部に股支持部８と係合する第２係合部３６とを備える。シート部材３０はＰＶＣなどの合成樹脂により形成される。摩擦面３２は、例えば凹凸を有する素材により構成されることにより、摩擦面３２に当接する乳幼児の胴体部を好適に支持可能となる。
【００４５】
このようなシート部材３０は、頭支持部１０及び股支持部８に対して着脱可能である。以下、シート部材３０の着脱機構について説明する。
【００４６】
図９の例に示す第１係合部３４は、シート部材３０の一端部に開孔される第１挿通孔３８の周縁部からなる。第１挿通孔３８は、頭支持部１０が挿通可能な略楕円形状の孔である。シート部材３０をチェア部材２に装着する際に、ユーザーは頭支持部１０を第１挿通孔３８に挿通させる。シート部材３０は伸長性を備えるＰＶＣなどの合成樹脂により形成されることから、ユーザーは頭支持部１０が第１挿通孔３８を挿通可能な程度の面積に第１挿通孔３８を拡張して、頭支持部１０を挿通させる。頭支持部１０が第１挿通孔３８を挿通すると、第１係合部３４は、頭支持部１０と背もたれ部６との当接部分周縁に係合する。
【００４７】
第２係合部３６は、シート部材３０の第１挿通孔３８が開孔される端部とは異なる端部近傍に開口される第２挿通孔４０の周縁部からなる。第２挿通孔４０は、股支持部８が挿通可能な略円形状の孔である。ユーザーは、股支持部８が挿通可能な程度の面積に第２挿通孔４０を拡張して、股支持部８を挿通させる。股支持部８が第２挿通孔４０を挿通すると、第２係合部３６は、股支持部８の外周縁に係合する。
【００４８】
シート部材３０は、第１係合部３４と第２係合部３６の２箇所においてチェア部材２と係合することにより、配置される位置において良好に保持される。これにより、シート部材３０上に乳幼児の胴体部が載置されると、シート部材３０は配置される位置から移動することなく、良好に乳幼児の胴体部を支持することが可能である。
【００４９】
これとは異なり、第１挿通孔３８は開放及び閉鎖可能であってもよい。図１０は、第１挿通孔３８を開放及び閉塞する構成の一例を示す図である。図１０（ａ）に示すように、第１挿通孔３８周縁には、互いに分離及び係止可能な第１取付部５４と第２取付部５６とを備えられる。第１取付部５４と第２取付部５６とが分離すると、第１挿通孔３８は開放された状態となる。図１０に示す例では、第１取付部５４と第２取付部５６とはフックにより係止される。第１取付部５４と第２取付部５６とが係止されると、第１挿通孔３８は閉鎖される。
【００５０】
そして、第１取付部５４と第２取付部５６とが分離することにより第１挿通孔３８が開放された状態において、ユーザーは第１取付部５４と第２取付部５６とを頭支持部１０に巻き付ける。頭支持部１０に巻き付けられた状態で第１取付部５４と第２取付部５６とを係止することにより、第１挿通孔３８を閉鎖して第１係合部３４を頭支持部１０に係合させることができる。
【００５１】
図１０（ｂ）は、第１取付部５４と第２取付部５６の断面図である。図１０（ｂ）に示すように、第１取付部５４は端部に係止孔５２を備える。また第２取付部５４は、係止孔５２を挿通可能なフック５０を備える。フック５０を係止孔５２に挿通させることにより、第１挿通孔３８は閉鎖される。フック５０が係止孔５２に挿通されている状態において、フック５０を係止孔５２から取り出すことにより第１挿通孔３８は閉鎖された状態から開放された状態になる。第１挿通孔３８が閉鎖されて第１係合部３４が頭支持部１０に係合されている状態において、フック５０を係止孔５２から取り出すと、第１挿通孔３８は開放されるため、第１係合部３４と頭支持部１０との係合が容易に解除される。
【００５２】
（変形例）
なお、上述したバスチェア１は、本考案におけるバスチェアの一実施形態であり、その具体的構成は、本考案の趣旨を逸脱しない範囲で適宜変更可能である。例えば、上記実施形態において、バスチェア１を構成するチェア部材２が一体的に形成される空気室を備える場合を示したが、本考案はこれに限られることなく、チェア部材２が空気室を備えない構成であってもよい。
【００５３】
また、上記実施形態において、空気室２２は、複数の区分領域２３を備える場合を示したが、本考案はこれに限られることなく、空気室２２内にリブ２０が設けられることなく、したがって、複数の区分領域２３を備えない構成であってもよい。
【００５４】
また、上記実施形態において、バスチェア１を構成するシート部材３０が、頭支持部１０に係合する第１係合部３４と、股支持部８に係合する第２係合部３６とを備える場合を示したが、シート部材３０は、本考案はこれに限られることなく、シート部材３０が股支持部８に係合する第２係合部３６を備えない構成であってもよい。
【００５５】
さらに、上記実施形態において、第１係合部３４は第１挿通孔３８の周縁部からなり、第２係合部３６は、第２挿通孔４０の周縁部からなる場合を示した。しかし、本考案はこれに限られるものではなく、第１係合部３４及び第２係合部３６のいずれか又は両者は、例えばフック状の形状を備え、フックを頭支持部１０又は股支持部８に掛止する構成であってもよい。
【符号の説明】
【００５６】
１…バスチェア、２…チェア部材、３…クッション部材（胴体支持部材）、５…座部、６…背もたれ部、８…股支持部（股部支持部）、１０…頭支持部（頭部支持部）、２０…リブ（壁部）、２１…傾斜面、２１ａ…第１領域、２１ｂ…第２領域、２２…空気室、２３ａ，２３ｂ，２３ｃ…区分領域、３０…シート部材（カバーシート）、３２…摩擦面、３４…第１係合部、３６…第２係合部、Ｒ…収容領域。
【図１】
0003210128.tif 000003
【図２】
0003210128.tif 000004
【図３】
0003210128.tif 000005
【図４】
0003210128.tif 000006
【図５】
0003210128.tif 000007
【図６】
0003210128.tif 000008
【図７】
0003210128.tif 000009
【図８】
0003210128.tif 000010
【図９】
0003210128.tif 000011
【図１０】
0003210128.tif 000012